(57)【要約】【構成】基礎１６上に固定される柱脚ピース１４の取付部２６と柱１２とのボルト接合面間に第１断熱材２８を介挿するとともに、柱脚ベース１８と柱下部１２ａの下端面との間に第２断熱材３０を介挿して、柱１２と柱脚ピース１４との間における熱の伝導を防止または抑制する。これによって、外気および基礎１６からの熱が柱脚ピース１４から柱１２を通って室内に伝わること、および室内の熱が柱１２から柱脚ピース１４に伝わり、外気および基礎１６側に放出されることをそれぞれ防止または抑制できる。【効果】冷暖房装置のエネルギロスを少なくして、効率よく室内温度を調節できる。さらに冬季において、たとえば建物の壁内に配置される柱表面に結露が生じないようにすることができる。【選択図】　図１
2004107945.tif 000002
【特許請求の範囲】
【請求項１】
基礎上に固定される柱脚ベースと前記柱脚ベース上に設けられて柱下部を取り付ける取付部とを有する柱脚ピースと、前記取付部にボルト接合されてボルトのせん断力で支持される柱とを含む金属柱構造において、
前記取付部と前記柱とのボルト接合面間に第１断熱材を介挿したことを特徴とする、金属柱構造。
【請求項２】
前記柱脚ベースと前記柱下部との間に第２断熱材を介挿したことを特徴とする、請求項１記載の金属柱構造。
【発明の詳細な説明】
【０００１】
【産業上の利用分野】
この発明は金属柱構造に関し、特にたとえば、基礎上に金属柱の下端を固定するための、金属柱構造に関する。
【０００２】
【従来技術】
従来の金属柱構造の一例を図１２に示す（特許文献１参照）。この金属柱構造１は、たとえば鋼製の柱２と、柱脚ピース３とを備えている。柱脚ピース３は、直立する柱２の下端２ａをたとえば基礎４上に固定するためのものであり、この柱２の下端２ａを受容する柱受容筒５を備えている。この柱受容筒５は、柱脚ベース６上に溶接されている。この柱脚ベース６は、基礎４上にアンカーボルト７ａおよびナット７ｂによって固定して取り付けられている。
【０００３】
【特許文献１】
特開平９−１００８１７号公報
【０００４】
【発明が解決しようとする課題】
しかし、図１２に示す従来の金属柱構造１を住宅等の建物に適用した場合、たとえば夏季において、室内温度を冷房装置によって外気温度よりも低くしようとすると、高温の外気や地面の熱が基礎４を介して、または直接に柱脚ピース３に伝わり、そしてこの熱が柱２を通って建物の壁に伝わる。その結果、この熱が室内温度を上げるエネルギ（エネルギロス）となリ、室内温度を効率よく下げられないという問題がある。
【０００５】
つまり、図１２に示すように、柱受容筒５の内周面と柱２の下端２ａの外周面とが直接密着しているので、地面等の熱が柱脚ピース３から柱２に伝わり、この熱が壁や室内の温度を上げるエネルギとなるからである。なお、柱２の上部は、建物の壁の内部に配置されていて、この壁の内部が室内とほぼ等しい温度となっている。
【０００６】
また、冬季においては、夏季と逆の現象が起こり、暖房装置によって室内温度を効率よく上げられないという問題がある。
【０００７】
さらに、冬季においては、柱２が外気等によって冷やされるので、建物の壁内に配置されている柱表面に結露が生じるという問題もある。
【０００８】
それゆえに、この発明の主たる目的は、たとえば冷暖房装置のエネルギロスを少なくして、効率よく室内温度を調節でき、さらに柱表面に結露が生じないようにする、金属柱構造を提供することである。
【０００９】
【課題を解決するための手段】
この発明は、基礎上に固定される柱脚ベースと柱脚ベース上に設けられて柱下部を取り付ける取付部とを有する柱脚ピースと、取付部にボルト接合されてボルトのせん断力で支持される柱とを含む金属柱構造において、取付部と柱とのボルト接合面間に第１断熱材を介挿したことを特徴とする、金属柱構造である。
【００１０】
【作用】
この発明によると、柱下部を柱脚ピースを介して基礎上に固定できる。そして、柱下部と取付部との間に第１断熱材が介挿されているので、柱下部と取付部（柱脚ピース）との間における熱の伝導を防止または抑制できる。
【００１１】
したがって、この金属柱構造を住宅等の建物に適用した場合、柱脚ピースが外気と接触する箇所に設置されたり、または外気と直接に接触しないが、外気との間で熱伝導が起こる状態で設置されていても、外気の熱が柱脚ピースから柱を通って室内に伝わること、および室内の熱が柱から柱脚ピースに伝わり、外気に放出されることをそれぞれ防止または抑制できる。
【００１２】
さらに、柱脚ピースが基礎に取り付けられているが、基礎からの熱が柱脚ピースから柱を通って室内に伝わること、および室内の熱が柱から柱脚ピースに伝わり、基礎側に放出されることをそれぞれ防止または抑制できる。
【００１３】
【発明の効果】
この発明によれば、第１断熱材によって柱脚ピースと柱との間における熱の伝導を防止または抑制できるので、この金属柱構造を住宅等の建物に適用した場合、たとえば冷暖房装置を使用して効率よく室内温度を調節できる。したがって、冷暖房に必要とされるエネルギ消費量を従来よりも低減できる。
【００１４】
そして、冬季においては、外気による柱の冷却が抑制されるので、たとえば建物の壁内に配置された柱表面の結露を防止できる。また、第１断熱材は、ボルト接合面間に介挿されて取り付けられているので、この第１断熱材を取り付けるための専用の取付具が不要であり、経済的である。
【００１５】
この発明の上述の目的，その他の目的，特徴および利点は、図面を参照して行う以下の実施例の詳細な説明から一層明らかとなろう。
【００１６】
【実施例】
この発明に係る金属柱構造をたとえば軽量鉄骨柱構造に適用した第１実施例を図１〜図７を参照して説明する。この金属柱構造１０は、図３に示すように、たとえば断面ほぼ四角形の中空鋼管からなる金属製の柱１２を、柱脚ピース１４によって基礎１６の上面に固定するためのものである。
【００１７】
この柱脚ピース１４は、たとえば鉄等の金属製であり、図３に示すように、板状の柱脚ベース１８を有している。柱脚ベース１８は、基礎１６の上面から突出するアンカーボルト２０が挿通される２つの孔２２（図６参照）を有している。
柱脚ベース１８は、この２つの各孔２２にアンカーボルト２０が挿通されてナット２４で締め付けられており、これによって基礎１６の上面に固定されている。
そして、この２つの孔２２と孔２２との中間部に取付部２６が形成されている。
取付部２６は、断面がほぼ四角形の筒状体であって、第１断熱材２８および第２断熱材３０が介挿された状態で、柱１２の下部（柱下部）１２ａを受容する形状に形成されている。そして、取付部２６は、この柱脚ベース１８の上面から立ち上がる状態で柱脚ベース１８の上面と結合している。
【００１８】
取付部２６は、図３に示すように、その内側に柱下部１２ａが挿入されており、取付部２６の内周面と柱下部１２ａの外周面との間に第１断熱材２８が介挿されている。そして、柱脚ベース１８の上面と柱下部１２ａの下端面との間に第２断熱材３０が介挿されている。この柱下部１２ａは、図１および図２に示すように、ボルト３２とナット３４によって取付部２６に固定されている。
【００１９】
取付部２６は、左右の各壁部および後壁部にボルト挿通孔３６が形成されている。そして、柱下部１２ａおよび第１断熱材２８にも、これら３つの各ボルト挿通孔３６と対応する位置にそれぞれボルト挿通孔３８，４０が形成されている。
さらに、柱下部１２ａの内面には、これら３つの各ボルト挿通孔３８と対応する位置にナット３４が溶接等によって固着されている。そして、３本の各ボルト３２を３つのボルト挿通孔３６，３８，４０に挿通して、対応する３つの各ナット３４に螺合させて締め付けてある。このようにして、取付部２６の内周面と柱下部１２ａの外周面との間のボルト接合面間に第１断熱材２８が介挿された状態で、柱下部１２ａが取付部２６に固定されている。そして、この状態で、柱脚ベース１８の上面と柱下部１２ａの下端面との間に第２断熱材３０が介挿されている。
【００２０】
したがって、取付部２６の内周面は、柱下部１２ａの外周面とほぼ相似する形状であり、この内周面と外周面との間に第１断熱材２８を介挿できるように、内周面の寸法が外周面の寸法よりも少し大きい寸法に形成されている。
【００２１】
第１断熱材２８は、その外周面が取付部２６の内周面と対応する形状であって、断面がほぼ四角形の筒状の形状である。そして、第２断熱材３０は、柱下部１２ａの下端面と対応するほぼ四角形の板状の形状である。これら第１および第２断熱材２８および３０は、たとえば発泡ポリエチレン等の合成樹脂製シート、またはグラスウール製のシートを利用して形成されている。第１および第２断熱材２８および３０の厚みは、柱脚ピース１４と柱１２との間において必要とされる断熱効率や断熱材の材質等に基づいて決定される。
【００２２】
また、図３に示すように、取付部２６の前壁部２６ａの下方には、結露水等を排出するための開口部４２が形成されている。そして、取付部２６の左右両壁部のそれぞれの上部外面には、図１に示すブレース（筋交い）４４の一端を固定するための断面ほぼコ字状のブレース固定部４６が設けられている。各ブレース固定部４６は、それぞれの先端が補強用脚部４８を介して柱脚ベース１８と連結しており、この補強用脚部４８によって補強されている。また、各ブレース固定部４６の柱脚ベース１８に対して垂直方向に配置されている縦壁部には、孔５０が形成されている。この孔５０は、ボルト５２を挿通するためのものであり、このボルト５２によってブレース４４がブレース固定部４６に固定されている。なお、これら柱脚ベース１８，取付部２６，ブレース固定部４６および補強用脚部４８は、互いにたとえば溶接されて結合している。
【００２３】
次に、図１に示す金属柱構造１０を設置する手順を説明する。まず、図６および図７に示す柱脚ピース１４の柱脚ベース１８に形成されている２つの各孔２２に、基礎１６の上面から突出する各アンカーボルト２０を挿通する。そして、各アンカーボルト２０にナット２４を螺合させて締め付けることによって柱脚ピース１４を基礎１６の上面に固定する（図１参照）。そして、柱脚ピース１４の取付部２６の内側の底に第２断熱材３０を配置する。次に、柱下部１２ａの外周面に第１断熱材２８を装着して、この第１断熱材２８が装着された柱下部１２ａを取付部２６の内側に挿入する。そして、取付部２６，第１断熱材２８および柱下部１２ａに形成されているそれぞれのボルト挿通孔３６，３８，４０にボルト３２を挿通して、各ボルト３２を柱下部１２ａに取り付けられている各ナット３４に螺合させて締め付ける。これによって、図３および図５に示す金属柱構造１０が完成する。
【００２４】
次に、ブレース固定部４６にブレース４４を取り付ける場合は、図１に示すように、ブレース４４の一端に形成されている孔（図示せず）およびブレース固定部４６に形成されている孔５０にボルト５２を挿通してこのボルト５２にナット（図示せず）を螺合させて締め付けて固定する。なお、この実施例では、図４に示すように、柱脚ピース１４が外気５４に接触する状態で住宅等の建物の床５６の下に設置されている。図４に示す床５６の上は、室内５８となっている。そして、柱１２の上部は、建物の壁（図示せず）の内部に配置されていて、この壁の内部が室内５８とほぼ等しい温度となっている。なお、図には示さないが、建物の壁は、外壁と内壁とからなっており、外壁の内面に断熱材が装着されている。
そして、この断熱材と内壁との間に柱１２が配置されている。
【００２５】
この実施例の金属柱構造１０によると、柱下部１２ａを柱脚ピース１４を介して基礎１６上に固定できる。そして、柱下部１２ａと柱脚ピース１４との間に第１断熱材２８および第２断熱材３０が介挿されているので、柱１２と柱脚ピース１４との間における熱の伝導を防止または抑制できる。
【００２６】
したがって、図４に示すように、この金属柱構造１０を住宅等の建物に適用した場合、柱脚ピース１４が床下の外気５４に接触していても、外気５４の熱が柱脚ピース１４から柱１２を通って建物の壁内（図示せず）および室内５８に伝わること、ならびに室内５８および建物の壁内の熱が柱１２から柱脚ピース１４に伝わり、外気５４に放出されることをそれぞれ防止または抑制できる。
【００２７】
さらに、柱脚ピース１４が基礎１６に取り付けられているが、基礎１６からの熱が柱脚ピース１４から柱１２を通って建物の壁内および室内５８に伝わること、ならびに室内５８および建物の壁内の熱が柱１２から柱脚ピース１４に伝わり、基礎１６側に放出されることをそれぞれ防止または抑制できる。
【００２８】
たとえば夏季において、高温の外気５４や地面の熱が柱脚ピース１４から柱下部１２ａに伝わることを防止または抑制できる。これによって、柱１２の温度上昇による室内温度の上昇を低減できるので、室内温度を冷房装置によって効率よく下げることができる。
【００２９】
また、冬季においては、室内５８の熱が柱下部１２ａから柱脚ピース１４（基礎１６）に伝わることを防止等できるので、暖房装置によって室内温度を効率よく上げることができる。
【００３０】
このように、冷暖房装置等を使用して効率よく室内温度を調節できるので、冷暖房に必要とされるエネルギ消費量を従来よりも低減できる。そして、冬季においては、外気５４による柱１２の冷却が抑制されるので、建物の壁内に配置されている柱表面の結露を防止できる。
【００３１】
そして、柱１２に掛かる荷重は、この柱１２と柱脚ピース１４とを結合する３本のボルト３２によって支持されているので、この荷重が第２断熱材３０に殆ど掛からないようになっている。したがって、第２断熱材３０が柱１２に掛かる荷重によって破損することがなく、断熱効果を長期間維持することができる。もちろん、第１断熱材２８にも柱１２に掛かる荷重が掛からないので、その断熱効果が長期間維持される。なお、柱に掛かる荷重は、ボルト３２にせん断力として働く。
【００３２】
また、第１断熱材２８は、取付部２６と柱下部１２ａとの間のボルト接合面間に介挿されて取り付けられているので、この第１断熱材２８を取り付けるための専用の取付具が不要であり、経済的である。もちろん、第２断熱材３０も取付部２６の内側であって柱１２の下端面と柱脚ベース１８との間に介挿されて取り付けられているので、専用の取付具が不要であり、経済的である。
【００３３】
さらに、第１および第２断熱材２８，３０を、取付部２６と柱下部１２ａとの間のボルト接合面間に取り付けているので、これら断熱材の取り付けによって、この金属柱構造１０の強度が低下することがない。よって、金属柱構造１０に含まれる柱１２や柱脚ピース１４等を従来と同等の強度のものを使用できる。したがって、柱１２や柱脚ピース１４等の費用を増加させずに柱１２と柱脚ピース１４との間の断熱構造が得られる。
【００３４】
そして、この実施例に使用されている柱脚ピース１４によると、取付部２６に柱下部１２ａを挿入できるので、柱１２の強度に応じて肉厚が異なる（すなわち、外周寸法が同一であって、内周寸法が異なる）複数種類の柱１２に対しても１種類の柱脚ピース１４で対応できる。したがって、複数種類の柱脚ピース１４を準備する必要がなく、部品点数を少なくできる。
【００３５】
次に、この発明に係る金属柱構造の第２実施例を図８を参照して説明する。この金属柱構造６０は、基礎１６のコーナー部で使用できるようにしたものであって、柱脚ピース６２を上方から見てＬ字状に形成したものである。つまり、柱脚ベース６４をほぼＬ字状に形成し、ブレース固定部４６，取付部２６およびブレース固定部４６をＬ字状に配置してある。これ以外は第１実施例と同等であり、同等部分を同一の図面符号で示し、それらの詳細な説明を省略する。そして、第１実施例と同様に作用するので、その説明も省略する。
【００３６】
次に、この発明に係る金属柱構造の第３実施例を図９を参照して説明する。この金属柱構造６６は、たとえば断面ほぼ四角形の中空鋼管からなる柱６８を、柱脚ピース７０によって基礎１６の上面に固定するためのものである。
【００３７】
この柱脚ピース７０は、板状の柱脚ベース１８を有している。柱脚ベース１８は、基礎１６の上面から突出するアンカーボルト２０が挿通される２つの孔を有している。柱脚ベース１８は、この２つの各孔にアンカーボルト２０が挿通されてナット２４で締め付けられており、これによって基礎１６の上面に固定されている。そして、この２つの孔と孔との中間部に取付部７２が溶接等によって固着されている。取付部７２は、外形がほぼ直方体の中空部材であって、第１断熱材７４，第２断熱材７６および第３断熱材７８が介挿された状態で、柱下部６８ａに嵌め込まれる形状に形成されている。
【００３８】
柱下部６８ａは、図９に示すように、下端の中央に溝８０が形成されており、この溝８０の左右両側に左側壁８２および右側壁８４が形成されている。左側壁８２と取付部７２との間、および右側壁８４と取付部７２との間のそれぞれのボルト接合面間には、第１断熱材７４，７４が介挿されている。そして、左側壁８２および右側壁８４のそれぞれの下端面と柱脚ベース１８の上面との間には、第２断熱材７６，７６が介挿されている。また、取付部７２の上面と溝８０の底面８０ａとの間には、第３断熱材７８が介挿されている。
【００３９】
この柱下部６８ａは、ボルト８６とナット８８によって取付部７２に固定されている。つまり、取付部７２は、左側面から右側面にわたって貫通する複数のたとえば２つのボルト挿通孔９０が形成されている。そして、柱下部６８ａの左側壁８２および右側壁８４、ならびに２枚の各第１断熱材７４にも、これら各ボルト挿通孔９０と対応する位置にそれぞれボルト挿通孔９２，９４が形成されている。そして、２本の各ボルト８６を各ボルト挿通孔９０，９２，９４に挿通して、各ボルト８６にナット８８を螺合させて締め付けてある。このようにして、柱下部６８ａの左側壁８２および右側壁８４と取付部７２とのそれぞれの間のボルト接合面間に第１断熱材７４が介挿された状態で、柱下部６８ａが取付部７２に固定されている。そして、この状態で、柱脚ベース１８の上面と柱下部６８ａの左右の各側壁８２，８４の下端面との間に第２断熱材７６が介挿されているし、取付部７２の上面と溝８０の底面８０ａとの間に第３断熱材７８が介挿されている。
【００４０】
第１断熱材７４は、取付部７２の側面と対応する矩形の板状の形状である。なお、図９に示す取付部７２および柱下部６８ａの左右の各側壁８２，８４は、奥行き方向の寸法がほぼ同一である。そして、第２断熱材７６は、左右の各側壁８２，８４の下端面と対応するほぼ四角形の板状の形状である。また、第３断熱材７８は、溝８０の底面８０ａの外側輪郭形状と対応するほぼ四角形の板状の形状である。そして、これら第１，第２および第３断熱材７４，７６，７８は、第１実施例と同等の材質で形成されている。
【００４１】
次に、図９に示す金属柱構造６６を設置する手順を説明する。まず、第１実施例と同様にして、柱脚ピース７０を基礎１６の上面に固定する。そして、図９に示すように、取付部７２の左右の各側面、柱脚ベース１８の上面および取付部７２の上面に第１，第２および第３断熱材７４，７６，７８を配置する。次に、これら第１〜第３断熱材７４等を柱脚ピース７０に装着した状態で、柱下部６８ａに形成されている溝８０内に取付部７２を嵌め込む。そして、柱下部６８ａに形成されている左右の各側壁８２，８４，第１断熱材７４および取付部７２に形成されているそれぞれのボルト挿通孔９０，９２，９４にボルト８６を挿通して、各ボルト８６を各ナット８８に螺合させて締め付ける。これによって、図９に示す金属柱構造６６が完成する。
【００４２】
なお、この実施例も、図４に示す第１実施例と同様に、柱脚ピース７０が外気５４に接触する状態で住宅等の建物の床５６の下に設置されている。そして、柱６８の上部は、第１実施例と同様に、建物の壁の内部に配置されていて、この壁の内部が室内５８とほぼ等しい温度となっている。
【００４３】
この実施例の金属柱構造６６によると、柱下部６８ａを柱脚ピース７０を介して基礎１６上に固定できる。そして、柱下部６８ａと柱脚ピース７０との間に第１断熱材７４，第２断熱材７６および第３断熱材７８が介挿されているので、第１実施例と同様に、柱６８と柱脚ピース７０との間における熱の伝導を防止または抑制できる。
【００４４】
したがって、この金属柱構造６６を住宅等の建物に適用した場合、柱脚ピース７０が床下の外気５４に接触していても、第１実施例と同様に、冷暖房装置等を使用して効率よく室内温度を調節できる。よって、冷暖房に必要とされるエネルギ消費量を従来よりも低減できる。そして、冬季においては、外気５４による柱６８の冷却が抑制されるので、建物の壁内に配置されている柱表面の結露を防止できる。
【００４５】
また、柱６８に掛かる荷重は、この柱６８と柱脚ピース７０とを結合する２本のボルト８６によって支持されているので、この荷重が第２および第３断熱材７６，７８に殆ど掛からないようになっている。したがって、第２および第３断熱材７６，７８が柱６８に掛かる荷重によって破損することがなく、断熱効果を長期間維持することができる。もちろん、第１断熱材７４も柱６８に掛かる荷重が掛からないので、その断熱効果が長期間維持される。
【００４６】
さらに、第１断熱材７４は、取付部７２と柱下部６８ａの左右の各側壁８２，８４との間のボルト接合面間に介挿されて取り付けられているので、この第１断熱材７４を取り付けるための専用の取付具が不要である。そして、第２および第３断熱材７６，７８も柱下部６８ａの左右の各側壁８２，８４の下端面と柱脚ベース１８との間、および柱下部６８ａの溝８０の底面８０ａと取付部７２の上面との間にそれぞれ介挿されて取り付けられているので、専用の取付具が不要であり、経済的である。
【００４７】
次に、この発明に係る金属柱構造の第４実施例を図１０および図１１を参照して説明する。この金属柱構造９６は、たとえば断面がＣ字形状の溝形鋼（チャンネル）からなる２本の第１および第２の柱９８，１００を、柱脚ピース１０２によって基礎１６の上面に固定するためのものである。これら第１の柱９８および第２の柱１００は、互いに同等のものである。
【００４８】
この柱脚ピース１０２は、柱脚ベース１８の上面に溶接されている取付部１０４がほぼ矩形の板状体である。この取付部１０４以外は、図９に示す第３実施例の柱脚ピース７２と同等であり、同等部分の詳細な説明を省略する。
【００４９】
この取付部１０４は、図１０および図１１に示すように、左側の第１の柱９８の下部との間、および右側の第２の柱１００の下部との間のそれぞれのボルト接合面間に第１断熱材１０６，１０６が介挿されている。
【００５０】
第１および第２の各柱９８，１００の下部は、ボルト１０８とナット１１０によって取付部１０４に固定されている。つまり、取付部１０４は、図１０に示す左側面から右側面にわたって貫通する複数のたとえば４つのボルト挿通孔１１２が形成されている。そして、第１および第２の各柱９８，１００の下部および２枚の各第１断熱材１０６にも、これら各ボルト挿通孔１１２と対応する位置にそれぞれボルト挿通孔１１４，１１６が形成されている。そして、４本のボルト１０８を各ボルト挿通孔１１２，１１４，１１６に挿通して、各ボルト１０８にナット１１０を螺合させて締め付けてある。このようにして、第１および第２の各柱９８，１００の下部と取付部１０４とのそれぞれの間のボルト接合面間に第１断熱材１０６，１０６が介挿された状態で、各柱下部が取付部１０４に固定されている。
【００５１】
第１断熱材１０６は、取付部１０４の側面と対応する矩形の板状の形状であり、第１実施例と同等の材質で形成されている。なお、図１１に示すように、取付部１０４、ならびに第１および第２の各柱９８，１００の下部は、奥行き方向の寸法がほぼ同一である。
【００５２】
次に、図１０および図１１に示す金属柱構造９６を設置する手順を説明する。
まず、第１実施例と同様にして、柱脚ピース１０２を基礎１６の上面に固定する。そして、図１０および図１１に示すように、取付部１０４の左右の各側面に第１断熱材１０６を配置する。次に、各第１断熱材１０６を柱脚ピース１０２に装着した状態で、たとえば第２の柱１００の下部を右側の対応する第１断熱材１０６を介して取付部１０４にあてがい、この状態で第２の柱１００の下部，第１断熱材１０６および取付部１０４に形成されているそれぞれのボルト挿通孔１１４，１１６，１１２にボルト１０８を挿通する。そして、第１の柱９８の下部を左側の対応する第１断熱材１０６を介して取付部１０４にあてがい、それぞれ挿通されているボルト１０８を第１の柱９８の下部に形成されている各ボルト挿通孔１１４に挿通して、各ボルト１０８にナット１１０を螺合させて締め付ける。これによって、図１０および図１１に示す金属柱構造９６が完成する。
【００５３】
なお、この実施例も、図４に示す第１実施例と同様に、柱脚ピース１０２が外気５４に接触する状態で住宅等の建物の床５６の下に配置されている。そして、柱９８，１００の上部は、第１実施例と同様に、建物の壁の内部に配置されていて、この壁の内部が室内５８とほぼ等しい温度となっている。
【００５４】
この実施例の金属柱構造９６によると、第１および第２の柱９８，１００の各下部を柱脚ピース１０２を介して基礎１６上に固定できる。そして、第１および第２の各柱９８，１００と取付部１０４との間に第１断熱材１０６，１０６が介挿されているので、第１実施例と同様に、第１および第２の各柱９８，１００と柱脚ピース１０２との間における熱の伝導を防止または抑制できる。
【００５５】
したがって、この金属柱構造９６を住宅等の建物に適用した場合、柱脚ピース１０２が床下の外気５４に接触していても、第１実施例と同様に、冷暖房装置等を使用して効率よく室内温度を調節できる。よって、冷暖房に必要とされるエネルギ消費量を従来よりも低減できる。これ以外は、第３実施例と同様に作用するので、その詳細な説明を省略する。
【００５６】
なお、図１１に示すように、柱９８，１００を第１断熱材１０６，１０６を介して取付部１０４にボルト１０８で締め付けて固定しているが、ボルト１０８の締め付け力が柱９８，１００と取付部１０４とに効果的に働くように、図には示さないが、たとえば各ボルト１０８にワッシャ（座金）または筒状金具を装着して、柱９８，１００を、ワッシャまたは筒状金具を介して取付部１０４にボルト１０８で締め付けて固定するとよい。
【００５７】
ただし、第１〜第４実施例では、鋼製の柱１２等を使用する軽量鉄骨柱構造にこの発明を適用したが、たとえばステンレス製またはアルミ製の柱１２等を使用する金属柱構造にこの発明を適用することができる。
【００５８】
そして、第１および第２実施例では、図１および図８に示すように、柱１２の下端面と柱脚ベース１８等との間に第２断熱材３０を介挿したが、この第２断熱材３０を省略してもよい。
【００５９】
また、第３実施例では、図９に示すように、柱下部６８ａの左右の各側壁８２，８４の下端面と柱脚ベース１８の上面との間に第２断熱材７６，７６を介挿し、取付部７２の上面と柱下部６８ａに形成された溝８０の底面８０ａとの間に第３断熱材７８を介挿したが、これら第２および第３断熱材７６，７８を省略してもよい。
【００６０】
さらに、第１〜第４実施例では、図４に示すように、柱脚ピース１４等が直接外気５４に接触しているが、この柱脚ピース１４等がたとえば断熱材が装着されている壁等で覆われている場合であっても、この発明の金属柱構造を適用するとよい。なぜなら、柱脚ピース１４等が基礎１６に取り付けられるので、外気５４の熱が基礎１６を通って室内５８に伝わることを防止する必要があるし、室内５８の熱が基礎１６を通って外気５４に放出されることを防止する必要があるからである。
【図面の簡単な説明】
【図１】この発明に係る金属柱構造の第１実施例を示す部分断面背面図である。
【図２】図１の金属柱構造の第１断熱材を示す部分断面平面図である。
【図３】図１の金属柱構造を示す斜視図である。
【図４】図１の金属柱構造の柱脚ピースが床下に設置された状態を示す正面図である。
【図５】図１の金属柱構造を示す側面図である。
【図６】図１の金属柱構造に使用されている柱脚ピースを示す斜視図である。
【図７】図６の柱脚ピースを示す平面図である。
【図８】この発明に係る金属柱構造の第２実施例を示す部分断面平面図である。
【図９】この発明に係る金属柱構造の第３実施例を示す正面図である。
【図１０】この発明に係る金属柱構造の第４実施例を示す部分断面側面図である。
【図１１】図１０の金属柱構造を示す部分断面平面図である。
【図１２】従来の金属柱構造を示す斜視図である。
【符号の説明】
１０，６０，６６，９６　…金属柱構造
１２，６８　…柱
１２ａ，６８ａ　…柱下部
１４，６２，７０，１０２　…柱脚ピース
１６　…基礎
１８，６４　…柱脚ベース
２０　…アンカーボルト
２４，３４，８８，１１０　…ナット
２６，７２，１０４　…取付部
２８，７４，１０６　…第１断熱材
３０，７６　…第２断熱材
３２，８６，１０８　…ボルト
４４　…ブレース
４６　…ブレース固定部
５４　…外気
５６　…床
５８　…室内
７８　…第３断熱材
８２　…左側壁
８４　…右側壁
９８　…第１の柱
１００　…第２の柱
【図１】
2004107945.tif 000003
【図２】
2004107945.tif 000004
【図３】
2004107945.tif 000005
【図４】
2004107945.tif 000006
【図５】
2004107945.tif 000007
【図６】
2004107945.tif 000008
【図７】
2004107945.tif 000009
【図８】
2004107945.tif 000010
【図９】
2004107945.tif 000011
【図１０】
2004107945.tif 000012
【図１１】
2004107945.tif 000013
【図１２】
2004107945.tif 000014